【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
操作対象物を操作するための入力操作がなされる入力装置本体と、
前記入力装置本体への第１の操作を検出する第１操作検出部と、前記第１の操作を検出後、前記入力装置本体への第２の操作を検出する第２操作検出部とを有する検出部と、
前記第１の操作の検出値又は該第１の操作に応じた前記入力装置本体の動きに対する動き検出値に基づき、前記入力装置の第１の応答又は前記操作対象物への操作のための第１の処理を行う第１処理部と、を備え、
前記第１の操作を検出後、前記第２の操作の検出値又は該第２の操作に応じた前記入力装置本体の動きに対する動き検出値に基づき、前記入力装置の第１の応答又は前記操作対象物への操作のための第２の処理を行う入力装置。
【請求項２】
前記第１操作検出部及び前記第２操作検出部は、前記入力装置本体が所定の圧力以上で握られたことを検出する請求項１に記載の入力装置。
【請求項３】
前記第１処理部は、前記第１の操作の検出に基づき前記入力装置の第１の応答を行う第１応答部と、前記第２の操作に応じた前記入力装置本体の動きに対する動き検出値に基づき前記操作対象物の操作のための演算を行う第１演算部と、を含む請求項１又は２に記載の入力装置。
【請求項４】
前記第１応答部による前記入力装置の第１の応答は前記操作対象物を制御する制御装置へと送受信されず、前記第１演算部による前記操作対象物の操作のための演算結果は制御装置へと送受信される請求項３に記載の入力装置。
【請求項５】
前記第１応答部による前記第１の応答の処理は、前記第１演算部による前記演算結果に基づく処理より速い請求項４に記載の入力装置。
【請求項６】
前記第１の処理と前記第２の処理とは異種の操作である請求項１〜５のいずれか一項に記載の入力装置。
【請求項７】
前記第１処理部は、前記第１の操作に応じた前記入力装置本体の動きに対する動き検出に基づき前記操作対象物の操作のための演算を行う第１演算部と、前記第２の操作の検出に基づき前記入力装置の第２の応答を行う第２応答部と、を含む請求項１又は２に記載の入力装置。
【請求項８】
操作対象物を操作するための入力操作がなされる入力装置本体への第１の操作を検出することと、
前記第１の操作を検出後、前記入力装置本体への第２の操作を検出することと、
前記第１の操作の検出値又は該第１の操作に応じた前記入力装置本体の動きに対する動き検出値に基づき、前記入力装置の第１の応答又は前記操作対象物への操作のための第１の処理を行うことと、
前記第１の操作を検出後、前記第２の操作の検出値又は該第２の操作に応じた前記入力装置本体の動きに対する動き検出値に基づき、前記入力装置の第１の応答又は前記操作対象物への操作のための第２の処理を行うこと、
を含む入力方法。
【請求項９】
操作対象物を操作するための入力操作がなされる入力装置本体と、
前記入力装置本体への第１の操作を検出する第１操作検出部と、
前記第１の操作を検出後、前記入力装置本体への第２の操作を検出する第２操作検出部と、
前記第１の操作の検出値又は該第１の操作に応じた前記入力装置本体の動きに対する動き検出値に基づき、前記入力装置の第１の応答又は前記操作対象物への操作のための第１の処理を行う第１処理部と、を有する入力装置と、
前記入力装置の操作に応じて前記操作対象物を制御する制御装置と、を備え、
前記入力装置は、前記第１の操作を検出後、前記第２の操作の検出値又は該第２の操作に応じた前記入力装置本体の動きに対する動き検出値に基づき、前記入力装置の第１の応答又は前記操作対象物への操作のための第２の処理を行い、
前記制御装置は、前記入力装置により行われた第１の処理又は第２の処理に応じて、前記操作対象物を制御する制御システム。
【請求項１０】
前記第１操作検出部又は前記第２操作検出部は、前記入力装置本体がユーザに所定の力以上の力で握られたことを検出し、
前記第１処理部は、前記入力装置本体の動きを検出し、前記入力装置本体の動きに応じた動き検出値を出力し、前記入力装置本体が握られたことが検出されている状態で、前記動き検出値に基づいて前記操作対象物を制御するための処理を実行し、
前記第１応答部は、少なくとも前記第１操作検出部又は前記第２操作検出部により前記入力装置本体が握られたことが検出されたときに、前記第１処理部の制御によらず、ユーザに対して第１の応答を返す請求項３に記載の入力装置。
【請求項１１】
請求項３〜５のいずれか一項又は１０に記載の入力装置であって、
前記入力装置本体は、
表面を有する基部と、
表面と、前記基部の表面と間隙を開けて対向する内面とを有し、前記基部の表面を覆うように設けられた殻状部とを有し、
前記入力装置は、前記基部の表面と、前記殻状部の内面との間に設けられたスイッチ部をさらに具備し、
前記検出部は、前記スイッチ部の一部を構成するスイッチ機構であり、
前記第１応答部は、前記第１の応答としてクリック感を発生する、前記スイッチ部の一部を構成するクリック感発生機構である入力装置。
【請求項１２】
請求項１１に記載の入力装置であって、
前記検出部は、前記基部の表面と、前記スイッチ部との間に設けられ、前記入力装置が握られた力の大きさを検出し、握られた力の大きさに応じた検出値を出力する入力装置。
【請求項１３】
請求項１２に記載の入力装置であって、
前記入力装置本体は、前記殻状部の表面を覆うように設けられ、前記基部及び前記殻状部よりも軟らかい材料で構成された把持部をさらに有する入力装置。
【請求項１４】
請求項１０〜１３のいずれか一項に記載の入力装置であって、
前記第１応答部は、前記検出部により前記入力装置が握られたことが検出されたとき、及び入力装置が握られたことが検出されなくなったときに前記第１の応答をユーザに返す入力装置。
【請求項１５】
請求項１０〜１４のいずれか一項に記載の入力装置であって、
前記第１処理部は、該第１処理部の制御によって、ユーザに対して前記第１の応答とは異なる第２の応答を返す第２応答部をさらに具備する入力装置。
【請求項１６】
請求項１５に記載の入力装置であって、
前記検出部は、前記入力装置が握られた力の大きさを検出し、握られた力の大きさに応じた握り力検出値を出力し、
前記第１処理部は、前記動き検出値、または前記握り力検出値に基づいて、前記第２応答部による第２の応答を制御する入力装置。
【請求項１７】
請求項１０〜１６のいずれか一項に記載の入力装置であって、
前記検出部は、前記入力装置本体が握られた力の大きさを検出し、握られた力の大きさに応じた握り力検出値を出力し、
前記第１処理部は、入力装置本体が握られたことが検出されている状態で、前記動き検出値及び前記握り力検出値に基づいて前記操作対象物を制御するための処理を実行する入力装置。
【請求項１８】
請求項１７に記載の入力装置であって、
前記第１処理部は、前記動き検出値がゼロに近い値を示した場合に、前記握り力検出値に基づいて、前記操作対象物の動きを継続させる処理を実行する入力装置。
【請求項１９】
前記第１操作検出部又は前記第２操作検出部は、前記入力装置本体がユーザに所定の力以上の力で握られたことを検出し、
前記第１処理部は、前記入力装置が握られた力の大きさを検出し、握られた力の大きさに応じた握り力検出値を出力し、前記第１操作検出部又は前記第２操作検出部により前記入力装置本体が握られたことが検出されている状態で、前記握り力検出値に基づいて前記操作対象物を制御するための処理を実行し、
前記第１応答部は、少なくとも前記第１操作検出部又は前記第２操作検出部により前記入力装置本体が握られたことが検出されたときに、前記第１処理部の制御によらず、ユーザに対して第１の応答を返す請求項３に記載の入力装置。
【手続補正２】
【補正対象書類名】明細書
【補正対象項目名】００１７
【補正方法】変更
【補正の内容】
【００１７】
＜第１実施形態＞
［システムの全体構成］
まず、図１を参照しながら本開示の一実施形態に係る制御システムについて説明する。図１は、本開示の第１実施形態及び後述する各実施形態に係る入力装置１０を含む制御システム１００を示す。制御システム１００は、入力装置１０と制御装置５０と表示装置６０とを有する。
【手続補正３】
【補正対象書類名】明細書
【補正対象項目名】００５１
【補正方法】変更
【補正の内容】
【００５１】
第１演算部４０は、前記第１の操作に応じた入力装置本体の動きに対する動き検出値に基づき、操作対象物の操作のための演算（第１の処理）を行ってもよく、前記第２の操作に応じた入力装置本体の動きに対する動き検出値に基づき操作対象物の操作のための演算（第２の処理）を行ってもよい。
【手続補正４】
【補正対象書類名】明細書
【補正対象項目名】０１８６
【補正方法】変更
【補正の内容】
【０１８６】
・操作対象物を掴みたい場合、ユーザは、センサにより一定以上のセンサ量が検出される程度に入力装置１０を握る。
・操作対象物を操作する場合、ユーザは入力装置１０を回したり、左右に動かす。
・操作対象物をじっくり見る場合、ユーザは入力装置１０を前後に動かしてズームイン／ズームアウトの操作を行う。
【手続補正５】
【補正対象書類名】明細書
【補正対象項目名】０１９２
【補正方法】変更
【補正の内容】
【０１９２】
また、上記各実施形態では、検出部４３が複数のセンサからの検出値を取得可能なように構成したので、これにより、例えば、第１操作検出部４４の検出結果を用いて、アプリケーションのモードをイネーブルとし、イネーブル後の動作状態で第２操作検出部４５が複数の検出値から必要な検出値を選択した結果を用いて、対象物を操作するための情報を出力する。これによっても、より直感的な操作を実現することができる。